(57)【要約】      （修正有）【課題】撥水処理して外部からの雨水等によって湿ることを防止し、また内外周面を表裏反転使用でき、被梱包物の内容を外部からも把握、認識できる伸縮梱包具を提供する。【解決手段】被梱包物を弾性手段３によって密着するように包覆し、緩衝手段２によって被梱包物を保護する梱包具本体１を備えて成る。梱包具本体１の内外周面の少なくともいずれか一方は撥水処理して構成するか、梱包具本体１は被梱包物の上面を覆い、下部が開口されている袋状として構成するか、梱包具本体１の内外周面は被梱包物に対して反転して包覆可能として構成するかしてある。撥水処理は、布帛製の梱包具本体１の内外周面に撥水剤５を塗布したり、梱包具本体１の素材自体を非透水性の合成樹脂製フィルム材としたりして構成する。また、梱包具本体１の内外周面は、被梱包物に対して反転して包覆可能にし、外観で内外周面を識別できる識別手段４を備えて構成する。【選択図】図１
0003181950.tif 000002
【実用新案登録請求の範囲】
【請求項１】
被梱包物を弾性手段によって密着するように包覆し、緩衝手段によって被梱包物を保護する梱包具本体を備えて成る伸縮梱包具において、梱包具本体の内外周面の少なくともいずれか一方は撥水処理されているか、あるいは梱包具本体は被梱包物を覆う袋状として形成されているか、あるいは梱包具本体の内外周面は被梱包物に対して反転して包覆可能にしてあるかしてあることを特徴とする伸縮梱包具。
【請求項２】
被梱包物を弾性手段によって密着するように包覆し、緩衝手段によって被梱包物を保護する梱包具本体を備えて成る伸縮梱包具において、梱包具本体の内外周面の少なくともいずれか一方は撥水処理されていることを特徴とする伸縮梱包具。
【請求項３】
撥水処理は、布帛製の梱包具本体の内外周面の少なくともいずれか一方に撥水剤を塗布して成る請求項１または２に記載の伸縮梱包具。
【請求項４】
撥水処理は、梱包具本体の素材自体を非透水性の合成樹脂製フィルム材としてある請求項１または２に記載の伸縮梱包具。
【請求項５】
被梱包物を弾性手段によって密着するように包覆し、緩衝手段によって被梱包物を保護する梱包具本体を備えて成る伸縮梱包具において、梱包具本体は被梱包物を覆う袋状として形成されていることを特徴とする伸縮梱包具。
【請求項６】
筒状に形成した梱包具本体のいずれか一方の開口部を、所定形状の閉塞片の周縁を開口部に連設して閉塞したり、筒状部のいずれか一方の開口部を集束するよう窄めさせて閉塞したりしてある請求項１または５に記載の伸縮梱包具。
【請求項７】
被梱包物を弾性手段によって密着するように包覆し、緩衝手段によって被梱包物を保護する梱包具本体を備えて成る伸縮梱包具において、梱包具本体の内外周面は被梱包物に対して反転して包覆可能にしてあることを特徴とする伸縮梱包具。
【請求項８】
梱包具本体の内外周面は、外観で内外周面を識別できる識別手段を備えている請求項１または７に記載の伸縮梱包具。
【請求項９】
被梱包物を弾性手段によって密着するように包覆し、緩衝手段によって被梱包物を保護する梱包具本体を備えて成る伸縮梱包具において、梱包具本体は、梱包具本体の内外周面の少なくともいずれか一方は撥水処理されていて、被梱包物を覆う袋状に形成されていると共に、梱包具本体の内外周面は被梱包具に対して反転して包覆可能にしてあることを特徴とする伸縮梱包具。
【請求項１０】
被梱包物を弾性手段によって密着するように包覆し、緩衝手段によって被梱包物を保護する梱包具本体を備えて成る伸縮梱包具において、梱包具本体は、梱包具本体の内外周面の両面が撥水処理されていて、被梱包物を覆う袋状あるいは筒状に形成されていると共に、梱包具本体の内外周面は被梱包具に対して内外で反転して包覆可能にしてあって、内外周面を識別できる識別手段を備えていることを特徴とする伸縮梱包具。
【請求項１１】
被梱包物を弾性手段によって密着するように包覆し、緩衝手段によって被梱包物を保護する梱包具本体を備えて成る伸縮梱包具において、梱包具本体は、合成樹脂製綿材を梱包具本体の表裏材となる布帛相互間に封入することで緩衝手段となして内外周面の両面で撥水可能に形成されていると共に、被梱包物を覆う袋状あるいは筒状に形成されていて、また、梱包具本体の内外周面は被梱包具に対して内外で反転して包覆可能にしてあることを特徴とする伸縮梱包具。
【請求項１２】
被梱包物を弾性手段によって密着するように包覆し、緩衝手段によって被梱包物を保護する梱包具本体を備えて成る伸縮梱包具において、梱包具本体は、重ね合わせた非透水性の合成樹脂製フィルム材相互間に多数の気泡あるいは空気室をそれぞれが独立した状態で連続配設することで緩衝手段となして内外周面の両面で撥水可能に形成されていると共に、被梱包物を覆う袋状あるいは筒状に形成されていて、また、梱包具本体の内外周面は被梱包具に対して内外で反転して包覆可能にしてあることを特徴とする伸縮梱包具。
【請求項１３】
梱包具本体の内外周面は、外観で内外周面を識別できる識別手段を備えている請求項１１または１２に記載の伸縮梱包具。
【考案の詳細な説明】
【技術分野】
【０００１】
この考案は、例えば移転、引越等に伴い家具、置物その他の各種物品を移動するときのこれらの被梱包物を外部からの衝撃や接触による物損等から防止し、また雨水等からもこれらの被梱包物を保護でき、更に梱包状態でも被梱包物を識別できるようにした伸縮梱包具に関する。
【背景技術】
【０００２】
従来から、移転、引越等に伴う各種の運搬物を保護するのに、特許文献１に示される家具運搬用保護カバーが提案されている。この保護カバーは、緩衝材を内部に封入した布製の筒状体の胴周方向にゴム紐を伸張した状態で配設すると共に、筒状体の全面にキルティング加工を施して成る。この保護カバーを運搬すべき家具等の運搬物に被せることで、ゴム紐の弾力でフィットさせ、家具の傷付きを防止し、不使用時では縮小されることで持ち運びが便利であるとする。
【先行技術文献】
【特許文献】
【０００３】
【特許文献１】特開平１０−１７５６６８号公報
【考案の概要】
【考案が解決しようとする課題】
【０００４】
ところがこの従来の保護カバーでは、筒状体はキルティング加工された布製であるため、例えば屋外での移動作業が雨天のもとで行われるとき、雨水が筒状体内に浸入し、筒状体自体が湿気を含んで重量的に嵩張るものとなるばかりでなく、筒状体の開口部が被梱包物の上面に位置していることによる開口部から浸入する雨水及び筒状体自体からも滲出する雨水によって家具等を損傷させる虞もある。そればかりでなく、雨水が浸入することで湿ったままであると、その保管時に腐食・汚臭が生じることもあり、それを除去すべく乾燥させるにしても、内装したゴム紐の弾力性によって縮小状態にあることで十分に乾燥させることも困難である。
【０００５】
また、保護カバーの筒状体はその表裏が一定のものとしてあるから、これの表裏反転の使用は困難であり、被梱包物を覆ってしまうと、被梱包物の内容自体の外部からの視認、確認はできなくなるから、例えば被梱包物が多数ある場合にそれらの個々の取扱い方法、移動先等がそれぞれに異なるときには混乱を生じ、面倒でもある。
【０００６】
そこでこの考案は上述したような従来存した諸事情に鑑み案出されたもので、その目的は梱包具自体を形成する素材に撥水処理を施し、あるいは撥水性ある素材を使用し、外部からの雨水その他の水分によって湿ることがないようにして、被梱包物の保護はもとより、梱包具自体の取り扱いも容易にし、また表裏で反転使用できるようにして例えば被梱包物の内容を外部からも区別して把握、認識できるようにした伸縮梱包具を提供することにある。
【課題を解決するための手段】
【０００７】
上述した課題を解決するため、後述する実施の形態における符号を付記することによって説明すると、この考案にあっては、被梱包物Ｐを弾性手段３によって密着するように包覆し、緩衝手段２によって被梱包物Ｐを保護する梱包具本体１を備えて成る伸縮梱包具において、梱包具本体１の内外周面の少なくともいずれか一方は撥水処理されているか、あるいは梱包具本体１は被梱包物Ｐを覆う袋状として形成されているか、あるいは梱包具本体１の内外周面は被梱包物Ｐに対して反転して包覆可能にしてあるかしてあることを特徴とする。
撥水処理は、布帛製の梱包具本体１の内外周面の少なくともいずれか一方に撥水剤５を塗布して成ることで構成したり、梱包具本体１の素材自体を非透水性の合成樹脂製フィルム材としてあることで構成したりすることができる。
筒状に形成した梱包具本体１のいずれか一方の開口部を、所定形状の閉塞片６の周縁を開口部に連設して閉塞したり、筒状部のいずれか一方の開口部を集束するよう窄めさせて閉塞したりして構成することができる。
梱包具本体１の内外周面は、外観で内外周面を識別できる識別手段４を備えて構成することができる。
また、被梱包物Ｐを弾性手段３によって密着するように包覆し、緩衝手段２によって被梱包物Ｐを保護する梱包具本体１を備えて成る伸縮梱包具において、梱包具本体１は、梱包具本体１の内外周面の少なくともいずれか一方は撥水処理されていて、被梱包物Ｐを覆う袋状に形成されていると共に、梱包具本体１の内外周面は被梱包具Ｐに対して反転して包覆可能にしてあることを特徴とする。
より具体的には、被梱包物Ｐを弾性手段３によって密着するように包覆し、緩衝手段２によって被梱包物Ｐを保護する梱包具本体１を備えて成る伸縮梱包具において、梱包具本体１は、梱包具本体１の内外周面の両面が撥水処理されていて、被梱包物Ｐを覆う袋状あるいは筒状に形成されていると共に、梱包具本体１の内外周面は被梱包具Ｐに対して内外で反転して包覆可能にしてあって、内外周面を識別できる識別手段４を備えていることを特徴とする。
更には、被梱包物Ｐを弾性手段３によって密着するように包覆し、緩衝手段２によって被梱包物Ｐを保護する梱包具本体１を備えて成る伸縮梱包具において、梱包具本体１は、合成樹脂製綿材を梱包具本体１の表裏材となる布帛相互間に封入することで、あるいは重ね合わせた非透水性の合成樹脂製フィルム材相互間に多数の気泡あるいは空気室をそれぞれが独立した状態で連続配設することで、緩衝手段２となして内外周面の両面で撥水可能に形成されていると共に、被梱包物Ｐを覆う袋状あるいは筒状に形成されていて、また、梱包具本体１の内外周面は被梱包具Ｐに対して内外で反転して包覆可能にしてあって、内外周面を識別できる識別手段４を備えていることを特徴とする。
【０００８】
以上のように構成されたこの考案に係る伸縮梱包具にあって、撥水処理されている梱包具本体１の内外周面の少なくともいずれか一方は、被梱包物Ｐを包覆して装着されるとき、外部雨水等を梱包具本体１内側の被梱包物Ｐに到達させず、被梱包物Ｐを湿気分から保護させる。
袋状に形成された梱包具本体１は、被梱包物Ｐを覆うことで、例えば上方からの衝撃等から被梱包物Ｐを保護すると共に、上方からの雨水等を被梱包物Ｐ面に接触させず、梱包具本体１自体の撥水処理と相俟ち、被梱包物Ｐを十分に保護させる。また、梱包具本体１内に収納した被梱包物Ｐを閉塞部分によって支持し、支持した状態で被梱包物Ｐを持ち運びさせる。
内外周面で反転可能にさせた被梱包物Ｐに対する包覆装着は、被梱包物Ｐに対応して選択して反転使用させ、また、識別手段４によって内外周面が異なっていることで、包覆外観形態の相違で各種の被梱包物Ｐの内容を把握認識させる。
【考案の効果】
【０００９】
この考案は以上説明したように構成されているため、梱包具本体１の内外周面の少なくともいずれか一方の撥水処理によって被梱包物Ｐの包覆時の雨水等の浸入を阻止させ、被梱包物Ｐを十分に保護でき、また、内外周面の反転選択によって被梱包物Ｐを包覆したときの被梱包物Ｐ自体の各種相違を梱包具本体１外部から識別手段４によって容易に把握認識させることができる。
【００１０】
また、被梱包物Ｐを覆う袋状に梱包具本体１を形成してあるから、開放されている開口部によって被梱包物Ｐに被せるだけで良く、こうすることで例えば被梱包物Ｐの上方から覆うことで上面側は完全に包覆されたものとなり、例えば上方から降り注ぐ雨水等によっても被梱包物Ｐが濡れることはない。そればかりでなく、被梱包物Ｐの上面をも包覆させていることによって上方からの衝撃等から被梱包物Ｐを保護できる。更には、梱包具本体１の開口部から例えばワイン等の酒類、飲料等を収容している瓶容器等を収納し、開口部に付設した手提げ部にて携帯し、持ち運ぶようにすることもでき、こうすることでこれらの外部からの衝撃によって破損しやすい容器等を保護することもできる。
【００１１】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１２】
【図１】この考案を実施するための一形態を示す一部の拡大断面図を含む一部切欠斜視図である。
【図２】同じく使用状態の一例における斜視図である。
【図３】他の実施の形態における使用状態の一例における斜視図である。
【図４】他の実施の形態における一部切欠斜視図である。
【考案を実施するための形態】
【００１３】
以下、図面を参照してこの考案を実施するための一形態を説明すると、図において示される符号１は上下が開放された開口部となっている筒状（図１、図２参照）に、あるいは袋状（図３、図４参照）に形成されていて、緩衝手段２を備えた梱包具本体である。この梱包具本体１は、筒方向に直交する周方向に沿って内装配設したゴム紐の如き弾性手段３によって周方向で縮小される傾向に弾発付勢されている。弾性手段３は、梱包具本体１の筒方向あるいは深さ方向では等間隔にして配設されることで、梱包具本体１はその上下方向の各部位でほぼ等しい弾性収縮力が得られるように配慮されている。
【００１４】
この梱包具本体１の内外周面である表裏の両面にあるいはいずれかである少なくともいずれか一方は撥水性を備えたものとしてあり、図１、図２に示すように梱包具本体１の形成素材が例えば布帛である場合にはその表面に撥水剤５を塗布する等して、図４に示すように形成素材自体が例えば合成樹脂製フィルム材の如き撥水性ある素材を採用する等してあり、撥水性素材である場合にはそのままで良く、特別な撥水処理が不要である。いずれにしても、非撥水性素材である場合には所定の撥水処理が施され、撥水性素材であればその素材性質を利用することで撥水処理を不要にできる。
【００１５】
緩衝手段２は、図１乃至図３に示すように、例えば合成樹脂製綿材を梱包具本体１の表裏材となる布帛相互間に封入することで構成でき、このように封入する場合の合成樹脂製綿材の片寄り等を防止すべく、表裏の布帛相互間ではキルティング加工処理が施されることが望ましい。場合によっては図４に示すように、梱包具本体１の形成素材を重ね合わせて配設した非透水性の合成樹脂製フィルム材とすることもでき、この場合には重ね合わせた合成樹脂製フィルム材相互間に多数の、必要があれば大小にした気泡あるいは空気室を、望ましくはそれぞれが独立した状態で連続配設することで緩衝手段２とすることができる。尚、この気泡あるいは空気室による緩衝手段２の形成は、複数枚で重ね合わせたフイルム材のいずれかを部分的に膨出させて他のフィルム材によって閉塞される気泡あるいは空気室とするのであり、また、これらの気泡あるいは空気室は梱包具本体１自体の内側あるいは外側の少なくともいずれかであれば足りる。
【００１６】
梱包具本体１を、被梱包物Ｐを覆う袋状形態とする場合、筒状に形成すると共にいずれか一方の開口部を扁平状にして閉塞することで、例えば被梱包物Ｐの上面側から覆うように下部が開口された構成とする。あるいは図３に示すように、筒状に形成したときのいずれか一方の開口部を、所定形状例えば円形状、あるいは矩形状その他の多角形状の閉塞片６の周縁を開口部に縫い合わせたり、接合したり等によって連設して閉塞することで、あるいは図４に示すように、筒状部のいずれか一方の開口部を集束するよう窄めさせた閉塞窄め部７にて閉塞すること等で構成する。もとより、袋状形態とする場合に、被梱包物Ｐに対応させて構成されるもので、被梱包物Ｐの上方から被せるようにされたり、あるいは梱包具本体１内に被梱包物Ｐが収納されて、開口部に付設した提手によって持ち運びができるようにされたりすることも可能である（図示せず）。また、梱包具本体１自体の形状・構造等はこれらの図示例、説明例等に限定されないことは勿論であり、梱包具本体１の素材によっても袋状あるいは筒状とすることに限定されない。
【００１７】
また、筒状あるいは袋状に構成された梱包具本体１の表裏は反転可能に、すなわち筒状による梱包具本体１に対する周囲の囲繞形態あるいは袋状による被梱包物Ｐの包覆形態のいずれによっても、これらの配置使用形態の外周側面、内周側面相互を反転させて使用できるように、いわゆるリバーシブル形態としてある。尚、内外周側面それぞれを形成する素材は同一素材とするも、異種素材とするも任意に選択できる。
【００１８】
そして、内外周側面となる梱包具本体１自体の素材には、それらの内外が識別できるように例えば異なる色彩、あるいは異なる模様等とした識別手段４を表示することが望ましい。このように内外で識別できるように識別手段４を備えたものとしておくことで、被梱包物Ｐが各種に異なる場合に、梱包具本体１によって包覆することで被梱包物Ｐ内容が外観からでは不明となるのを防止でき、梱包具本体１の色彩、模様その他による識別手段４によって被梱包物Ｐの内容等を把握認識できるようになる。
【００１９】
尚、梱包具本体１自体は、例えば大、中、小等の長さ、径等が各種に異なるタイプのものとして複数種で構成しておき、被梱包物Ｐに対応してそれらが選択されて使用されるようにしておくと良い。
【００２０】
また、図示を省略したが、被梱包物Ｐが例えばワイン等の酒類、飲料等を収容している瓶容器等である場合に、これらを収納し保持できるような、小径で細長袋状として梱包具本体１を形成すると共に、開口部に手提げ部を付設しておいても良い。こうすることで、袋形態における閉塞部分を底部として瓶容器等を収納し、手提げ部にて携帯し、持ち運ぶことができる。
【００２１】
次にこれの使用の一例を説明すると、図２あるいは図３に示すように被梱包物Ｐに対応して所定大きさの梱包具本体１によって包覆するように、弾性手段３を強制的に伸張させて被せれば良い。被せた後は、弾性手段３による収縮作用で被梱包物Ｐ周囲に密着し、緩衝手段２によって外部からの衝撃等に対して被梱包物Ｐを保護するものとなる。また、被梱包物Ｐの種別に対応して、梱包具本体１を反転した内外周面の識別手段４を選択して包覆する。
【００２２】
被梱包物Ｐの移動その他に際し、例えば雨水があたることがあっても梱包具本体１の内外周面における撥水作用で雨水等をはじき、被梱包物Ｐを外部湿気から保護する。
【符号の説明】
【００２３】
Ｐ…被梱包物
１…梱包具本体                          ２…緩衝手段
３…弾性手段                            ４…識別手段
５…撥水剤                              ６…閉塞片
７…閉塞窄め部
【図１】
0003181950.tif 000003
【図２】
0003181950.tif 000004
【図３】
0003181950.tif 000005
【図４】
0003181950.tif 000006